(57)【要約】      （修正有） 【課題】簡易な操作でカップに投入する物体を撹拌するとともに、発光体を有し、視覚的に好ましい美観の得られる撹拌機能と発光機能とを有するカップを提供する。【解決手段】物体を投入するカップ本体１０と、カップ本体１０を収納し、かつ回転自在に支持するとともに、別途内部に収納空間を有し、外周面に少なくとも一以上の発光体２１２を具えた固定座２０と、固定座２０の収納空間に設けられ、カップ本体１０を回転させる回転手段３０と、固定座２０の収納空間に設けられ、発光体２１２と電気的に接続する電源装置４０と、固定座の収納空間に摺動自在に設けられ、往復運動をして回転手段３０を連動させるとともに、電源装置４０を起動する起動部材５０と、を含んでなる。【選択図】図２
0003186918.tif 000002
【実用新案登録請求の範囲】
【請求項１】
物体を投入するカップ本体と、
該カップ本体を収納し、かつ回転自在に支持するとともに、別途内部に収納空間を有し、外周面に少なくとも一以上の発光体を具えた固定座と、
該固定座の収納空間に設けられ、該カップ本体を回転させる回転手段と、  
該固定座の収納空間に設けられ、該発光体と電気的に接続する電源装置と、
該固定座の収納空間に摺動自在に設けられ、往復運動をして該回転手段を連動させるとともに、該電源装置を起動する起動部材と、を含んでなることを特徴とする撹拌機能と発光機能とを有するカップ。
【請求項２】
前記固定座が外装筒体とベース部とによってなり、該外装筒体は、所定の高さの外周壁を有し、かつ該外装筒体とベース部との間に、該回転手段と、該電源装置と、該起動部材とを設ける収納空間が形成されることを特徴とする請求項１に記載の撹拌機能と発光機能とを有するカップ。
【請求項３】
前記回転手段が、該固定座の収納空間に設けられる回転発生手段を具え、かつ該回転発生手段が単一方向にのみ回転する単方向軸受と歯車とによってなり、該単方向軸受けが該カップ本体の底部に連結するとともに、該起動部材には該歯車に歯合するラックギア部を形成することを特徴とする請求項１に記載の撹拌機能と発光機能を有するカップ。
【請求項４】
前記電源装置が、該固定座の収納空間に回転自在に設ける発電手段と、歯車と、該歯車の下部に設けるラチェット構造部とによってなり、かつ該歯車が該回転手段か、もしくは該起動部材に連動して回転し、該ラチェット構造部が該発電手段を単一の方向に回転させるとともに、該発電手段が該発光体に電気的に接続することを特徴とする請求項１に記載の撹拌機能と発光機能とを有するカップ。
【請求項５】
前記発電手段が別途制御回路と電気的に接続し、該制御回路が該発光体に電気的に接続することを特徴とする請求項４に記載の撹拌機能と発光機能とを有するカップ。
【請求項６】
前記電源装置の発電手段が、二次電池に電気的に接続し、かつ該二次電池が電力を該発光体に供給するか否か切り換える開閉器を具えることを特徴とする請求項４に記載の撹拌機能と発光機能とを有するカップ。
【請求項７】
前記発電手段が、二次電池に電気的に接続し、かつ該電源装置が外部の電子デバイスの電源端子が接続する充電用スロットを具えることを特徴とする請求項４に記載の撹拌機能と発光機能とを有するカップ。
【請求項８】
前記電源装置が、それぞれ電気的に接続する導電片セットと、複数の電池と、制御回路とを含んでなり、該導電片セットが間隔をおいて該固定座の収納空間位置に設けられる一対の導電性材質片によってなり該起動部材の一端に押し圧されて互いに接触して通電状態となり、該電池の電力を該発光体に供給することを特徴とする請求項１に記載の撹拌機能と発光機能とを有するカップ。
【請求項９】
前記電源装置が、該発光体及び該電池と電気的に接続する制御回路を含んでなり、かつ該制御回路によって該発光体の発光形態を制御することを特徴とする請求項８に記載の撹拌機能と発光機能とを有するカップ。
【請求項１０】
前記カップ本体内に、投入する物体を撹拌する少なくとも一以上の撹拌翼を設けることを特徴とする請求項１に記載の撹拌機能と発光機能とを有するカップ。
【考案の詳細な説明】
【技術分野】
【０００１】
この考案は、食器であるカップに関し、特に撹拌機能と発光機能とを具える飲料用のカップに関する。
【背景技術】
【０００２】
繁忙を極める現代社会では、日常生活において、人々は少なからぬプレッシャーを受けている。これを解消するために、余暇を利用してカフェ、ティールーム、パブなどでリラックスすることもある。通常、これらカフェ、ティールーム、パブなどは、店内の雰囲気を演出するために照明を暗くしている。
【０００３】
また、飲料を入れる容器は、一般に外観上のデザインに趣向を凝らしているものの、容器に撹拌機能と発光機能を付与し、係る機能と外観上の特徴をセールスポイントとしたものは少ない。即ち、通常の飲料を入れる容器は、カフェ、ティールーム、パブなどの薄暗い照明の下で容器の外観上の美観を発揮することができず、また、商品の販売を促進させる特異な機能を有することもない。
【０００４】
そこで、発光手段を有するカップが開発された。台湾実用新案登録第Ｍ２９８９４８号は、底部に一対の電極と、発光体とを設け、液体の導電性を利用して該一対の電極を通電状態にして該発光体を発光させるカップを提供するものである。
【０００５】
然しながら、前記のカップは次に掲げる欠点を有する。即ち、台湾実用新案登録第Ｍ２９８９４８号公報に開示されるカップは、液体の導電性を利用して電極を通電状態にして発光させるものであるが故に、カップ内に何ら導電性の液体が入っていない状態においては、発光体を発光させることができない。よって、発光体を発光させることによって得られる視覚的効果を達成することができない。言い換えれば、継続して視覚的効果を得るためには、該カップ内に注いだ液体を全て飲むことができない。好ましくは、発光体の点灯、もしくは点滅を制御し、視覚的効果を受持得られるようにすることである。
【０００６】
また、前記台湾実用新案登録第Ｍ２９８９４８号公報に開示されるカップは、
該電極と液体とが接触することによって通電し、発光体を発光させることができる。よって、該一対の電極と該カップの底部とが接触する箇所は、液体がカップ底部に設けた隙間から電子部材に流れることを防ぐために、密封した状態にしなければならない。即ち、液体が流入して電子部材の損壊を招くことを防ぐためには製造工程において、緊密に組み立てなければならず、このため歩留まりが低下し、製造コストが高くなる。
【０００７】
さらに、前記台湾実用新案登録第Ｍ２９８９４８号公報に開示されるカップは、底部に設けた発光体の発光による視覚的効果を高めるために、カップが光透過性、もしくは半透過性の材質によってなる。よって、不純物が該一対の電極と該カップの底部とが接触する箇所、もしくは隙間に付着すると、外観上好ましくない。しかも、一対の電極と該カップの底部とが接触する箇所、もしくは隙間に、飲料の残滓が容易に詰まる。係る現象は、外観上好ましくないのみならず、衛生上においても好ましくない。
よって、従来の発光体を有するカップは、技術が理想の域には達していなく、改善の余地を大いに残している。
【先行技術文献】
【特許文献】
【０００８】
【特許文献１】・・・  台湾実用新案登録第Ｍ２９８９４８号公報
【考案の概要】
【考案が解決しようとする課題】
【０００９】
この考案は、簡易な操作で、注いだ液体などの物質の撹拌を行うことができ、同時に発光することによって好ましい視覚的効果を達成し、外観上の美観の得られる、撹拌機能と発光機能とを有するカップを提供とすることを課題とする。
【００１０】
また、この考案は、液体がカップ底部に設けた隙間から電子部材に流れて損壊することがなく、衛生的で、かつ製造が容易で製造コストを低減させことのできる撹拌機能と発光機能とを有するカップを提供することを課題とする。
【課題を解決するための手段】
【００１１】
そこで、本考案者は、従来の技術に見られる欠点に鑑み鋭意研究を重ねた結果、
物体を投入するカップ本体と、該カップ本体を収納し、かつ回転自在に支持するとともに、別途内部に収納空間を有し、外周面に少なくとも一以上の発光体を具えた固定座と、該固定座の収納空間に設けられ、該カップ本体を回転させる回転手段と、該固定座の収納空間に設けられ、該発光体と電気的に接続する電源装置と、該固定座の収納空間に摺動自在に設けられ、往復運動をして該回転手段を連動させるとともに、該電源装置を起動する起動部材と、を含んでなる撹拌機能と発光機能とを有するカップによって課題を解決できる点に着眼し、係る知見に基づいて本考案を完成させた。以下、この考案について具体的に説明する。
【００１２】
請求項１に記載する撹拌機能と発光機能とを有するカップは、物体を投入するカップ本体と、
該カップ本体を収納し、かつ回転自在に支持するとともに、別途内部に収納空間を有し、外周面に少なくとも一以上の発光体を具えた固定座と、
該固定座の収納空間に設けられ、該カップ本体を回転させる回転手段と、  
該固定座の収納空間に設けられ、該発光体と電気的に接続する電源装置と、
該固定座の収納空間に摺動自在に設けられ、往復運動をして該回転手段を連動させるとともに、該電源装置を起動する起動部材と、を含んでなる。
【００１３】
請求項２に記載する撹拌機能と発光機能とを有するカップは、請求項１における          固定座が外装筒体とベース部とによってなり、該外装筒体は、所定の高さの外周壁を有し、かつ該外装筒体とベース部との間に、該回転手段と、該電源装置と、該起動部材とを設ける収納空間が形成される。
【００１４】
請求項３に記載する撹拌機能と発光機能を有するカップは、請求項１における回転手段が、該固定座の収納空間に設けられる回転発生手段を具え、かつ該回転発生手段が単一方向にのみ回転する単方向軸受と歯車とによってなり、該単方向軸受けが該カップ本体の底部に連結するとともに、該起動部材には該歯車に歯合する。
【００１５】
請求項４に記載する撹拌機能と発光機能とを有するカップは、請求項１における        
電源装置が、該固定座の収納空間に回転自在に設ける発電手段と、歯車と、該歯車の下部に設けるラチェット構造部とによってなり、かつ該歯車が該回転手段か、もしくは該起動部材に連動して回転し、該ラチェット構造部が該発電手段を単一の方向に回転させるとともに、該発電手段が該発光体に電気的に接続する。
【００１６】
請求項５に記載する撹拌機能と発光機能とを有するカップは、請求項４における    
発電手段が別途制御回路と電気的に接続し、該制御回路が該発光体に電気的に接続する。
【００１７】
請求項６に記載する撹拌機能と発光機能とを有するカップは、請求項４における電源装置の発電手段が、二次電池に電気的に接続し、かつ該二次電池が電力を該発光体に供給するか否か切り換える開閉器を具える。
【００１８】
請求項７に記載する撹拌機能と発光機能とを有するカップは、請求項４における  発電手段が、二次電池に電気的に接続し、かつ該電源装置が外部の電子デバイスの電源端子が接続する充電用スロットを具える。
【００１９】
請求項８に記載する撹拌機能と発光機能とを有するカップは、請求項１における電源装置が、それぞれ電気的に接続する導電片セットと、複数の電池と、制御回路とを含んでなり、該導電片セットが間隔をおいて該固定座の収納空間位置に設けられる一対の導電性材質片によってなり該起動部材の一端に押し圧されて互いに接触して通電状態となり、該電池の電力を該発光体に供給する。
【００２０】
請求項９に記載する拌機能と発光機能とを有するカップは、請求項８における        電源装置が、該発光体及び該電池と電気的に接続する制御回路を含んでなり、かつ該制御回路によって該発光体の発光形態を制御する。
【００２１】
請求項１０に記載する撹拌機能と発光機能とを有するカップは、請求項１における        
カップ本体内に、投入する物体を撹拌する少なくとも一以上の撹拌翼を設ける。
【考案の効果】
【００２２】
この考案による撹拌機能と発光機能とを有するカップは、簡易な操作でカップに投入する物体を撹拌できるとともに、発光体を発光させて視覚的な美観が得られるのみならず、液体などの浸透による電子部材の損壊を防ぐことから使用寿命を延長することができ、製品の付加価値を高めることができ。また製造コストを低減させて、製品の商品としての市場での競争能力を高めるという効果を有する。
【図面の簡単な説明】
【００２３】
【図１】この考案によるカップの斜視図である。
【図２】図１に開示するカップの分解図である。
【図３】この考案における固定座の構造を示した説明図である。
【図４】この考案における固定座に設けた各部材の動作を示した説明図である。
【図５】図１に開示するカップを発光させる操作を示した説明図である。
【図６】第２の実施の形態における固定座の構造を示した説明図である。
【図７】第２の実施例における固定座に設けた各部材の動作を示した説明図である。
【図８】第２の実施の形態におけるカップを発光させる操作を示した説明図である。
【図９】第３の実施の形態によるカップの分解図である。
【図１０】第３の実施の形態における固定座の構造を示した説明図である。
【図１１】第３の実施例における固定座に設けた各部材の動作を示した説明図である。
【図１２】この考案における発光体の他の発光携帯を示した説明図である。
【図１３】この考案における発光体の他の発光携帯を示した説明図である。
【図１４】第４の実施の形態における固定座の構造を示した説明図である。
【図１５】第４の実施例における固定座に設けた各部材の動作を示した説明図である。
【図１６】第４の実施の形態における充電用スロットに、外部の電子デバイスの
【考案を実施するための形態】
【００２４】
この考案は、簡易な操作でカップに投入する物体を撹拌できるとともに、発光体を発光させて視覚的な美観が得られる撹拌機能と発光機能とを有するカップを提供するものであって、物体を投入するカップ本体と、該カップ本体を収納し、かつ回転自在に支持するとともに、別途内部に収納空間を有し、外周面に少なくとも一以上の発光体を具えた固定座と、該固定座の収納空間に設けられ、該カップ本体を回転させる回転手段と、該固定座の収納空間に設けられ、該発光体と電気的に接続する電源装置と、該固定座の収納空間に摺動自在に設けられ、往復運動をして該回転手段を連動させるとともに、該電源装置を起動する起動部材と、を含んでなる。係るカップの構造と特徴を詳述するために、具体的な実施例を挙げ、図面を参照にして以下に説明する。
【実施例１】
【００２５】
図１、２に開示するように、この考案による撹拌機能と発光機能とを有するは、カップ本体１０と、固定座２０と、回転手段３０と、電源装置４０と、起動部材５０とによってなり、起動部材５０によってカップ本体１０を駆動して回転させ、カップ本体１０内に投入した物体を撹拌し、また撹拌することによって該物体質の温度を下げるといった効果も得られる。さらに、図５に開示するように、固定座２０が同時に発光する。よって、使用上実用性を有するのみならず、装飾としての作用をも有し、好ましい外観、趣致を達することができる。
【００２６】
前記カップ本体１０に投入する物体は、例えば液体、粉末、固体、もしくはこれらの混合したものであって、これらを撹拌するために、カップ本体１０内部には少なくとも１以上の撹拌翼１１を設け、かつカップ本体１０の底部外面には回転軸１２を設ける。
【００２７】
図１に開示するように、固定座２０は、外装筒体２１とベース部２２とによってなる。外装筒体２１は、所定の高さの外周壁２１１を有し、カップ本体１０を内部に収納して回転自在に支持する。さらに外装筒体２１は外周壁２１１に、例えば発光ダイオードなどの複数の発光体２１２を具える。発光体２１２は、発光による視覚上の美観を得るために、所定の形状にしたがって配列する。
【００２８】
図２、３に開示するように、固定座２０のベース部２２と外装筒体２１との間に空間を形成して収納空間とし、ベース部２２上の該収納空間に回転手段３０を設ける。回転手段３０は、回転発生手段３１と、歯車セット３２とを含んでなる。
【００２９】
ベース部２２は位置決め柱２２１を一体に形成し、回転発生手段３１を位置決め柱２２１に設ける。回転発生手段３１は、上部に単一方向にのみ回転する単方向軸受け３１１を、下部に歯車３１２を具えてなり、単方向軸受３１１は回転軸１２に連結する。よって、回転発生手段３１がカップ本体１０を回転させる場合は、単一方向にのみ回転させる。
【００３０】
歯車セット３２は、上方に位置する平歯車３２１と、下方に位置するピニオンギア３２２とによってなる。平歯車３２１は、回転発生手段３１の歯車３１２に歯合する。
【００３１】
電源装置４０は、ベース部２２に回転自在に設ける発電手段４１を含んでなる。発電手段４１は、例えば外部からの動力を受けて回転する回転子と、及び固定子を具えて電力を発生させる手段であって、係る発電の原理と構造は従来の技術に属する。したがって、ここでは詳述しない。
【００３２】
また、電源装置４０は、歯車セット３２の平歯車３２１に歯合する歯車４２と、ラチェット構造部４３とを具える。ラチェット構造部４３は、歯止めが歯車４２に連動するように設けられ、かつラチェットギアが発電手段４１に設けられ、係る構造によって発電手段４１を単一の方向にのみ回転させる。
【００３３】
さらに、電源装置４０には、制御回路４４を介して発光体２１２を電気的に接続する。
【００３４】
また、固定座２０のベース２２には、複数のガイド柱２２２を一体に形成し、複数のガイド柱２２にガイドされ摺動自在に往復運動を行うように起動部材５０の一端を設ける。起動部材５０の一端には歯車セット３２のピニオンギア３２２に歯合する複数の歯によってなるラックギア部５１を形成する。起動部材５０の他端は固定座２０の外部に露出し、起動部材５０を押すための操作に供する。
【００３５】
さらに、固定座２０には、弾性体５２を設ける。実施例において、弾性体５２は引張コイルばねであって、一端をベース２２部に固定し、他端を起動部材５０に固定する。よって、起動部材５０を外方向に引っ張ると、弾性体５２の付勢力によって起動部材５０は元の位置に復帰する。
【００３６】
図４、５に開示するように、この考案によるカップを使用する場合、カップ本体１０内に液体などを注ぎ、手で起動部材５０を押すと、起動部材５０が、固定座２０のベース部２２に形成した複数のガイド柱２２２に沿って摺動し、ラックギア部５１が歯合するピニオンギア３２２を回転させる。ピニオンギア３２２が回転すると、平歯車３２１を介して動力が歯車３１２に伝えられ、回転発生手段３１が回転してカップ本体１０を回転させる。カップ本体１０内には撹拌翼１１が設けられているため、カップ本体１０内に注いだ液体などの物質が撹拌され、また、温度を下げる効果も得られる。
【００３７】
起動部材５０の一端を押してカップ本体１０を回転させると、弾性体５２の付勢力によって元に位置に復帰する。この場合、回転発生手段３１は単方向軸受け３１１を介して回転軸１２に連結するため、回転発生手段３１と回転軸１２との間に動力の伝動が発生せず、かつ回転を阻害することもない。よって、起動部材５０の一端を連続して押すことによって、起動部材５０が連続して往復運動を行い、カップ本体１０を継続的に回転させることを容易に行うことができる。また、起動部材５０の一端を連続して押す間隔、速度を調整することによって、カップ本体１０内において撹拌する速度を制御することができる。
【００３８】
また、上述するように起動部材５０が押されて、弾性体５２の付勢力によって元に位置に復帰する過程において、回転軸１２が逆方向に回転しないため、カップ本体１０は、同一方向に継続して回転する。
【００３９】
さらに、上述するように起動部材５０が摺動し、ラックギア部５１がピニオンギア３２２を回転させ、連動して平歯車３２１が回転すると、同期して平歯車３２１に歯合する電源装置４０の歯車４２が回転し、ラチェット構造部４３を介して発電手段４１に動力が伝えられて、発電手段４１が回転し、発電する。発生した電気エネルギーは、外装筒体２１に設けた発光体２１２に出力され、発光体２１２が発光する。よって、撹拌すると同時に、好ましい美観が得られ、実用的であるとともに、趣致好ましい外観、趣致を達することができる。
【００４０】
また、起動部材５０が押されて、弾性体５２の付勢力によって元に位置に復帰する過程において、ラチェット構造部４３の作用によって歯車４２が逆方向に回転しないことから発電手段４１は継続して同一方向に回転する。このため継続して電気エネルギーを発生させて発光体２１２に供給することができる。
【００４１】
発光体２２は、制御回路４４によって、継続して点灯するか、点滅するか、もしくは一部が点滅するか、点滅する列が交錯するか、もしくランダムに点灯、点滅するなど、任意の発光モードに制御することができる。
【００４２】
この考案においては、発電手段４１によって電気エネルギーを発生させて発光体２１２に出力するため、電池を使用したり、外部の電源に接続したりする必要がない。よって、環境保全に寄与するという効果をも有する。
【００４３】
また、この考案においては、起動部材５０、回転発生手段３１、発電手段４１について高速回転比を用いる必要がない場合、もしくは構造を簡易にして製造コストを節減したい場合、歯車セット３２を設けることなく、起動部材のラックギア部５１が直接歯合して歯車３１２、歯車４２を連動させる構造（図示しない）にしてもよい。
【実施例２】
【００４４】
図６、７、８に他の実施の形態を開示する。図面によれば、第２の実施の形態においても起動部材５０を操作してカップ本体１０を回転させ、発光体２１２を発光させる。但し、固定座２０には、この考案のカップを手に持つための把持部２２３を設ける。起動部材５０の外部に露出する一端は、把持部２２を設ける位置に露出し、把持部２２３を持つ際に外方向に引いて摺動させる。この場合、弾性体５２の付勢力によって元の位置に復帰する。
【実施例３】
【００４５】
図９から図１１に、第３の実施の形態を開示する。図面によれば、電源装置４０は、それぞれ電気的に接続する導電片セット４５と、複数の電池４６と、制御回路４４とを含んでなる。
【００４６】
導電片セット４５は、間隔をおいてベース部２２の所定の位置に設けられる一対の導電性材質片によってなる。導電片セット４５は、固定座２０の外部に露出した起動部材５０の一端が押されていない状態では互いに接触することなく、起動部材５０の一端が押されると、起動部材５０の他端によって押し圧されて互いに接触して通電状態となり、電池４６の電気エネルギーが発光体２１２に供給され、同時に制御回路４４によって発光体２１２の発光が制御される。
【００４７】
したがって、固定座２０の外部に露出した起動部材５０の一端を押すことによってカップ本体１０を回転させることができ、同時に起動部材５０の他端が導電片セット４５を押し圧して電池４６の電気エネルギーが発光体２１２に供給されて発光する。
【００４８】
外装筒体２１の発光する部分の形状は、例えば図１２に開示するように、の外周面の一部を凸起させ、該凸起させた部分が発光するようにしてもよい。この場合、該凸起する部分を商標の標章などの形状にすることによって、発光部分の視覚的変化以外に、広告としての効果を得ることもできる。
【００４９】
また、図１３に開示するように、複数の発光ダイオード、もしくはＥＬバックライトを用いて文字、記号、もしくはこれらの組み合わせとなるよう配列し発光させた場合においても発光部分の視覚的変化以外に、広告としての効果を得ることもできる。
【００５０】
その他、発光する部分の形態の変化として、外装筒体２１の外周面をアクリルなどの光透過性材で被覆し、かつ該光透過性材に、文字、記号、もしくはこれらの組み合わせとなる凹溝を形成してもよい。この場合、光透過性材の特性、凹溝の集光、光拡散などの作用によって文字、記号、もしくはこれらの組み合わせが発光し、好ましい視覚的効果が得られる。さらに、集光、光拡散などの作用を有する蛍光材などの材料を塗布するか、スクリーン印刷で該光透過性材に、文字、記号、もしくはこれらの組み合わせを形成しても、好ましい視覚的効果が得られる。
【実施例４】
【００５１】
図１４に第４の実施の形態を開示する。第４の実施の形態においては、発電手段４１に電気的に接続する二次電池４１１を設ける。二次電池４１１は、開閉器４１２を具え、開閉器４１２を操作することによって電気エネルギーを発光体２１２に供給するか否か切り換える。
【００５２】
係る構造によれば、発電手段４１が作動する場合、電気エネルギーを発光体２１２に供給すると同時に、二次電池４１１に充電することができる。よって、起動部材５０を作用させない状態において、開閉器４１２を切り替えて発光体２１２に電気エネルギーを供給して発光させることができる。
【００５３】
また、図１６に開示するように、二次電池４１１には充電用スロット４８を設けてもよい。充電用スロット４８は、固定座２０に設けられ、二次電池４１１に電気的に接続する。外部から例えば携帯電話機、タブレットパソコン、ポータブル電源などの電子デバイスの電源端子６０が挿入できるようにしてもよい。この場合、外部から接続する電子デバイスに二次電池４１１に充電した電力を供給することができる。即ち、一時的に電子デバイスの電力がなくなった場合、この考案における電源装置４０から電力を供給することができるので、利便性、実用性を高めることができる。
【００５４】
その他、図1５に開示するように、この考案における起動部材５０は、平歯車３２１を介することなく、電源装置４０と直接歯合するようにしてもよい。この場合、電源装置４０の歯車４２に歯合する第２ラックギア部５３を起動部材５０に形成する。
係る構造によってもカップ本体１０を回転させると同時に発光体２１２を発光させることができる。
【符号の説明】
【００５５】
１０          カップ本体
１１          撹拌翼
１２          回転軸
２０          固定座
２１          外装筒体
２１１        外周壁
２１２        発光体
２２          ベース部
２２１        位置決め柱
２２２        ガイド柱
２２３        把持部
３０          回転手段
３１          回転発生手段
３１１        単方向軸受け
３１２        歯車
３２          歯車セット
３２１        平歯車
３２２        ピニオンギア
４０          電源装置
４１          発電手段
４１１        二次電池
４１２        開閉器
４２          歯車
４３          ラチェット構造部
４４          制御回路
４５          導電片セット
４６          電池
４８          充電用スロット
５０          起動部材
５１          ラックギア部
５２          弾性体
５３        第２ラックギア部
６０          電源端子
【図１】
0003186918.tif 000003
【図２】
0003186918.tif 000004
【図３】
0003186918.tif 000005
【図４】
0003186918.tif 000006
【図５】
0003186918.tif 000007
【図６】
0003186918.tif 000008
【図７】
0003186918.tif 000009
【図８】
0003186918.tif 000010
【図９】
0003186918.tif 000011
【図１０】
0003186918.tif 000012
【図１１】
0003186918.tif 000013
【図１２】
0003186918.tif 000014
【図１３】
0003186918.tif 000015
【図１４】
0003186918.tif 000016
【図１５】
0003186918.tif 000017
【図１６】
0003186918.tif 000018